(57)【特許請求の範囲】
【請求項１】
入力信号を第１の信号経路および第２の信号経路内に分割する第１の方向性結合器に結合する入力信号レシーバと、
前記第１の信号経路に結合する帯域阻止フィルタであって、その出力信号を第１のＲＦ／アナログ周波数ダウン・コンバータに供給し、前記第１のＲＦ／アナログ周波数ダウン・コンバータは、一つ以上の第１のフィルタおよびアナログ・デジタル・コンバータにそれぞれ結合する１つまたは複数のダウン・コンバータ・ミキサを有し、前記１つまたは複数のダウン・コンバータ・ミキサは、局所周波数発振器信号によって制御される、帯域阻止フィルタと、
前記第１のＲＦ／アナログ周波数ダウン・コンバータ内の前記第１のフィルタおよびアナログ・デジタル・コンバータを通して、前記第１のＲＦ／アナログ周波数ダウン・コンバータ内の１つまたは複数のダウン・コンバータ・ミキサに結合する第２のフィルタと、
前記第２のフィルタに結合する第２のＲＦ／アナログ周波数アップ・コンバータであって、前記第２のフィルタは、一つ以上の第３のフィルタおよびデジタル・アナログ・コンバータをそれぞれ通して前記第２のフィルタにそれぞれ結合する１つまたは複数のアップ・コンバータ・ミキサを有し、前記１つまたは複数のアップ・コンバータ・ミキサのそれぞれは、局所周波数発振器信号によって制御され、前記第２のＲＦ／アナログ周波数アップ・コンバータは、その出力信号を第２の方向性結合器に供給し、前記第２の方向性結合器は、前記第２の経路に沿って前記第１の方向性結合器から第２の信号も受領し、前記第１の方向性結合器からの前記信号は、前記第２の方向性結合器において受領される前に部品を通過する、ＲＦ／アナログ２周波数アップ・コンバータと、
前記第１および第２の経路を通過した再合成信号を含む、前記第２の方向性結合器によって供給される信号出力であって、前記第１の信号経路からの前記信号は、前記第２の方向性結合器において前記第２の信号経路からの前記信号を減衰させる、信号出力とを含む、周波数依存信号減衰装置。
【請求項２】
前記第２のフィルタは、再構成可能な離散時間フィルタである、請求項１に記載の装置。
【請求項３】
前記帯域阻止フィルタは、ノッチ・フィルタである、請求項１に記載の装置。
【請求項４】
前記ノッチ・フィルタは、同調型である、請求項３に記載の装置。
【請求項５】
前記第２のフィルタは、プログラム可能デジタル・フィルタである、請求項１に記載の装置。
【請求項６】
前記周波数ダウン・コンバータ・ミキサは、周波数可変である、請求項１に記載の装置。
【請求項７】
前記周波数アップ・コンバータ・ミキサは、周波数可変である、請求項１に記載の装置。
【請求項８】
前記第１の経路上に配置され、減衰を所望される周波数にわたって負の群遅延を示す回路をさらに含む、請求項１に記載の装置。
【請求項９】
前記帯域阻止フィルタは、同調型である、請求項１に記載の装置。
【請求項１０】
入力信号を第１の信号経路および第２の信号経路内に分割する第１の方向性結合器に結合する入力信号レシーバと、
前記第１の信号経路に結合する帯域阻止フィルタであって、その出力信号を第１のＲＦ／アナログ周波数ダウン・コンバータに供給し、前記第１のＲＦ／アナログ周波数ダウン・コンバータは、一つ以上の第１のフィルタおよびアナログ・デジタル・コンバータにそれぞれ結合する１つまたは複数のダウン・コンバータ・ミキサを有し、前記１つまたは複数のダウン・コンバータ・ミキサは、局所周波数発振器信号によって制御される、帯域阻止フィルタと、
前記第１のＲＦ／アナログ周波数ダウン・コンバータ内の前記第１のフィルタおよびアナログ・デジタル・コンバータを通して、前記第１のＲＦ／アナログ周波数ダウン・コンバータ内の１つまたは複数のダウン・コンバータ・ミキサに結合する第２のフィルタと、
前記第２のフィルタに結合する第２のＲＦ／アナログ周波数アップ・コンバータであって、前記第２のフィルタは、一つ以上の第３のフィルタおよびデジタル・アナログ・コンバータをそれぞれ通して前記第２のフィルタにそれぞれ結合する１つまたは複数のアップ・コンバータ・ミキサを有し、前記１つまたは複数のアップ・コンバータ・ミキサのそれぞれは、局所周波数発振器信号によって制御され、前記第２のＲＦ／アナログ周波数アップ・コンバータは、その出力信号を第２の方向性結合器に供給し、前記第２の方向性結合器は、前記第２の経路に沿って前記第１の方向性結合器から第２の信号も受領し、前記第１の方向性結合器からの前記信号は、前記第２の方向性結合器において受領される前に部品素子を通過する、第２のＲＦ／アナログ周波数アップ・コンバータと、前記第１および第２の経路を通過した再合成信号を含む、前記第２の方向性結合器によって供給される信号出力と、
前記第２の方向性結合器に結合する第３の方向性結合器であって、第３のＲＦ／アナログ周波数ダウン・コンバータに信号を供給し、前記ダウン・コンバータは、コントローラに信号を供給し、前記コントローラは、前記第２のフィルタにフィードバック制御信号を供給する、第３の方向性結合器とを含む、周波数依存信号減衰装置。
【請求項１１】
前記第２のフィルタは、再構成可能な離散時間フィルタである、請求項１０に記載の装置。
【請求項１２】
前記帯域阻止フィルタは、ノッチ・フィルタである、請求項１０に記載の装置。
【請求項１３】
前記ノッチ・フィルタは、同調型である、請求項１２に記載の装置。
【請求項１４】
前記第２のフィルタは、プログラム可能デジタル・フィルタである、請求項１０に記載の装置。
【請求項１５】
前記周波数ダウン・コンバータ・ミキサは、周波数可変である、請求項１０に記載の装置。
【請求項１６】
前記周波数アップ・コンバータ・ミキサは、周波数可変である、請求項１０に記載の装置。
【請求項１７】
前記第１の経路上に配置される、減衰を所望される周波数にわたって負の群遅延を示す回路をさらに含む、請求項１０に記載の装置。
【請求項１８】
前記帯域阻止フィルタは、同調型である、請求項１０に記載の装置。
【請求項１９】
周波数依存減衰信号を供給する方法であって、
第１の方向性結合器において入力信号を受領するステップと、
前記第１の方向性結合器における前記入力信号を第１の信号経路および第２の信号経路内に分割するステップと、
帯域阻止フィルタにおいて、前記第１の信号経路に沿う信号を受領し、前記第１の信号経路に沿う信号をフィルタリングするステップと、
前記帯域阻止フィルタからの信号を第１のＲＦ／アナログ周波数ダウン・コンバータに供給し、前記第１のＲＦ／アナログ周波数ダウン・コンバータは、１つまたは複数のアナログ・デジタル・コンバータ、１つまたは複数のダウン・コンバータ・ミキサ、および一つ以上の第１のフィルタによって前記受領信号をそれぞれ処理するステップと、
前記第１のＲＦ／アナログ周波数ダウン・コンバータからの出力信号を第２のフィルタに供給し、前記第２のフィルタは、前記第１の信号経路上に供給される前記信号を処理およびフィルタリングするステップと、
第２のＲＦ／アナログ周波数アップ・コンバータにおいて前記第２のフィルタの前記出力を受領し、前記第２のＲＦ／アナログ周波数アップ・コンバータは、１つまたは複数のデジタル・アナログ・コンバータ、１つまたは複数のアップ・コンバータ・ミキサ、および一つ以上の第３のフィルタ内で前記信号をそれぞれ処理するステップと、
前記第２のＲＦ／アナログ周波数アップ・コンバータからの前記信号を第２の方向性結合器に供給するステップと、
前記第２の方向性結合器において、前記帯域阻止フィルタの前記出力を、前記第１の方向性結合器からの信号と合成し、前記第１の方向性結合器からの信号は、前記第２の方向性結合器において受領される前に部品を通過するステップであって、前記第２の方向性結合器の出力部において生成される前記合成信号は、前記第２の信号経路からの前記信号によって減衰する、前記第１の信号経路からの前記信号である、ステップとを含む方法。
【請求項２０】
前記第２の方向性結合器の出力部において生成される前記合成信号を第３の方向性結合器に供給し、前記第３の方向性結合器は、信号をＲＦ／アナログ３周波数ダウン・コンバータに供給するステップと、
前記第３のＲＦ／アナログ周波数ダウン・コンバータからのフィードバック信号を、コントローラに供給し、前記コントローラは、前記第２のフィルタにフィードバック制御信号を供給するステップとをさらに含む、請求項１９に記載の方法。
【請求項２１】
前記第３の方向性結合器からの出力信号を供給するステップをさらに含む、請求項２０に記載の方法。
【請求項２２】
前記第２のフィルタは、再構成可能な離散時間フィルタである、請求項１９に記載の方法。
【請求項２３】
前記第２のフィルタは、プログラム可能デジタル・フィルタである、請求項１９に記載の方法。
【発明の詳細な説明】
【技術分野】
【０００１】
本発明は、ワイヤレス通信システム、多重帯域無線アーキテクチャ、スペクトル・リファーミングができるシステム、およびソフトウェア定義無線において、ＲＦフィルタおよび信号消去に使用する周波数可変二重フィルタに関する。
【背景技術】
【０００２】
現在基地局で使用されるＲＦフィルタは、機械同調ＲＦフィルタを含む。これらのフィルタは、低損失、高ダイナミック・レンジ、および優れた選択性を有する結合空洞フィルタであるが、機械同調の必要性が、搬送波周波数範囲におけるフィルタの再構成可能性を限定する。必要なものは、機械同調の必要性を省くフィルタおよび信号消去システムである。
【０００３】
フィードフォワード構成のＲＦ離散時間フィルタも、利用可能である。共用器アイソレーションを改善するための、既知の３経路ＲＦ離散時間フィードフォワード・フィルタ・システムが、図１に示される。この図において、ｈ１およびｈ２は、ベクトル変調器を含むシステム・ブロックである。τ１およびτ２と表示された記号は、固定遅延線であり、固定遅延線は、本システムを離散時間に細分化する。
【０００４】
既知のＲＦ離散時間フィルタは、同調移相器および可変減衰器、またはベクトル変調器を含むＲＦ経路から構成される。しかし、ＲＦ経路の数は、２つまたは３つの経路に限定され、それは、それぞれの追加の経路が、追加のスプリッタ、合成器、同調部品、ゲイン・ブロック、および時間遅延素子を必要とするからである。このため、２つまたは３つの経路を有する既知のフィルタ・システムによって、低次のフィルタリングのみを行うことができる。必要なものは、フィルタ次数が増加するごとに同調移相器および可変減衰器、またはベクトル変調器などの追加の素子を必要とすることなく高次フィルタリングを行う、２経路フィルタおよび信号消去システムである。
【０００５】
同調フィルタも、ＭＥＭＳ、ＢＳＴ、および可変容量ダイオードなどの同調キャパシタによって過去に実現されてきた。そうした既知のフィルタの同調部品内では、熱が放散され、同調キャパシタのＱ値が限定される。同調素子の限定されたＱ値は、同調素子を高出力信号のフィルタリングに使用することができず、高次構成において大きい挿入損が生じることを意味する。必要なものは、高次構成において低挿入損で高出力信号をフィルタリングすることができるフィルタである。
【０００６】
既知のフィルタ・バンクは、所望のフィルタ構成を選択する、多重固定フィルタおよびスイッチ行列を含む。大集団のフィルタの特性のために、多数のフィルタおよび大きいスイッチ行列が必要とされる。多数のフィルタは、大きい空間的制約につながり、再構成可能性が限定される一方、大きいスイッチ行列は、挿入損の増大につながる。必要なものは、設置面積が小さく、再構成の範囲が連続的で、低挿入損を有するフィルタである。
【０００７】
フィルタ・システムの１つの経路上にデジタル信号プロセッサ（ＤＳＰ）を有するフィードフォワード構成消去システムが、伝送通過帯域においてレシーバ内に漏出する伝送信号を消去するのに使用されてきた。フィードフォワード・システムへの入力は、第１のトランスミッタにも送出されるデジタル・ベースバンド信号であった。消去システムが、図２に示され、このシステムは、伝送ＲＦ信号の線形部分のみを消去することができる。伝送ＲＦ信号の線形部分を消去するだけでない消去システムが必要である。
【０００８】
ワイヤレス通信システムは、多重帯域無線アーキテクチャ、スペクトル・リファーミングができるシステム、およびソフトウェア定義無線システムを含むことができる。ＩＰベースの可動システムなどの、ワイヤレス通信システム内の共通のシステム部品は、ワイヤレス通信システム上に、少なくとも１つの可動ノード（もしくはユーザー装置）および少なくとも１つのアクセス・ポイントＡＰ、または基地局（ｅＮｏｄｅＢもしくはｅＮＢ）を含む。これらのシステム上の様々な部品は、いずれかの特定のネットワーク構成または通信システムで使用される専門用語によって異なる名称で呼ばれる可能性がある。
【０００９】
たとえば、用語「可動ノード」は、可動端末「スマートフォン」またはワイヤレス接続可能なラップトップＰＣなどの遊動デバイスと呼ばれる可動通信ユニットを含む。「可動ノード」または「ユーザー装置」は、インターネット・アクセス、ｅメール・メッセージ・サービスなどの、様々な特徴および機能を有する可動端末（「携帯電話」）の様々な製品およびモデルが経験することができる、ワイヤレス・ネットワークへのケーブル（たとえば電話線（「ツイストペア」）、イーサネット・ケーブル、光ケーブルなど）接続、およびセルラー・ネットワークへのワイヤレス直接接続を有するＰＣも含む。
【００１０】
「可動ノード」は、特定のシステム・プロバイダによって採用される専門用語によって、ユーザー装置、可動ユニット、可動端末、可動デバイス、または同様の名称で呼ばれる可能性がしばしばある。「レシーバ」または「トランスミッタ」は、それぞれの「アクセス・ポイント」（ＡＰ）、「基地局」、または「ユーザー装置」に配置される。したがって、本発明におけるトランスミッタまたはレシーバなどの用語は、限定的に規定しないことを意味するが、ネットワーク上に配置される、それぞれの可動通信ユニットまたは伝送デバイス上の部品を含むことができる。
【発明の概要】
【００１１】
本発明は、ワイヤレス通信システム、多重帯域無線アーキテクチャ、スペクトル・リファーミングができるシステム、およびソフトウェア定義無線に使用する、周波数可変多重帯域阻止フィルタを提供する。本システムは、ブロッカ［ｂｌｏｃｋｅｒ］の存在下で、高伝送出力を扱うのに、または微弱受領信号を扱うのに使用することができる大ダイナミック・レンジを有する。ノッチまたは帯域阻止フィルタは、大ダイナミック・レンジが通過帯域信号と所望の阻止帯域信号との間に存在するとき、離散時間フィルタのダイナミック・レンジ要件を緩和するのに本発明において使用される。
【００１２】
本発明は、同調フィルタとして使用することができるが、本発明のＲＦ経路内の部品が伝送線と異なるとき、同調信号消去システムとして使用することもできる。離散時間フィルタを含む経路への入力信号は、方向性結合器によって結合ポートから主経路より分配される。この経路の出力信号は、方向性結合器によって再合成され、主経路の出力になる。第３の方向性結合器は、監視用の合成信号を分配するのに使用される。方向性結合器は、主経路に対する低損失を確実にする。本発明において、ＲＦ部品は、低損失伝送線、低ノイズ・アンプ、または固定共用器であり、離散時間フィルタは、デジタル・フィルタである。
【００１３】
ここで、添付の図面を参照して、例示のみにより、本出願の実施形態を説明する。
【図面の簡単な説明】
【００１４】
【図１】先行技術システムのブロック図である。
【図２】先行技術システムのブロック図である。
【図３】本発明のブロック図である。
【図４】本発明のブロック図である。
【図５】本発明のブロック図である。
【図６】本発明のブロック図である。
【図７】本発明のブロック図である。
【図８】本発明のブロック図である。
【図９】本発明のブロック図である。
【図１０】本発明のブロック図である。
【発明を実施するための形態】
【００１５】
本発明は、多重帯域無線アーキテクチャ、スペクトル・リファーミングができるシステム、およびソフトウェア定義無線用のハイブリッドＲＦおよびデジタル信号処理ベースのフィルタである。本発明は、ＲＦにおいて低損失周波数可変多重帯域阻止フィルタリングを行うことができ、大ダイナミック・レンジが、フィルタ入力部において阻止帯域信号と通過帯域信号との間に存在する。トランスミッタの出力部において、本発明は、厳密なエミッション制限を有する帯域内の突出部またはノイズを減衰させるのに使用することができる。レシーバへの入力部において、本発明は、トランスミッタからのブロッカまたはノイズを減衰させるのに使用することができる。
【００１６】
本発明は、ＲＦまたはアナログ部品の出力と消去信号を合成および結合する再構成可能なシステムである。消去信号は、第１の結合器から分配される信号を使用して合成される。本システムは、搬送波周波数の範囲にわたって作動することができ、それは、本システムが周波数可変であることを意味する。特定の搬送波周波数において、本システムは、その帯域幅内に周波数依存消去信号を生成することができる。周波数可変能力および周波数依存消去は、システムを再構成可能にする２つの要素である。
【００１７】
本発明は、固定共用器を拡張するのに使用することができ、この固定共用器は、そのフィルタリング要件を緩和することによって拡張共用器の市場までの製造および生産時間を削減する。１つの拡張共用器は、既知の機械同調フィルタとは異なり、複数の顧客の仕様を満たすであろう。
【００１８】
先行技術フィードフォワード構成のＲＦ離散時間フィルタが、利用可能である。共用器アイソレーションを改善するための、既知の３経路ＲＦ離散時間フィードフォワード・フィルタ・システムが、図１に示される。この図において、ｈ１およびｈ２は、ベクトル変調器を含むシステム・ブロックである。τ１およびτ２と表示された記号は、固定遅延線であり、固定遅延線は、本システムを離散時間に細分化する。
【００１９】
図１に、２つの経路を有する離散時間フィードフォワード・システム１００が示され、トランスミッタのパワーアンプＰＡ１０５が、接続部１０７を介して方向性結合器１１０に入力信号を供給する。本システムは、一定の周波数成分で作られる離散システムであり、したがって、周波数可変能力を示さない。
【００２０】
方向性結合器１１０は、第１の経路上で接続部１２５を介してスプリッタ１２９に結合する。スプリッタ１２９は、接続部１３４を介する遅延素子１τ１１３６への接続を含む、２つの信号経路を供給する。遅延素子１τ１１３６は、接続部１３９を介してＲＦ部品ｈ１  １４２に結合し、信号の位相および振幅が調整される。スプリッタからの第２の信号経路上で、接続部１３１を介して遅延素子２τ２１３５に接続する。遅延素子２τ２１３５は、接続部１３７を介してＲＦ部品ｈ２  １４１に結合し、信号の位相および振幅が調整される。ＲＦ部品ｈ１  １４２およびＲＦ部品ｈ２  １４１の出力部は、それぞれ、接続部１４５および１４３を通して合成器１５０に結合する。合成器１５０の出力部は、接続部１５２を介して方向性結合器１２１に結合する。
【００２１】
方向性結合器１１０は、第２の経路上で共用器１１５に結合する。共用器１１５は、アンテナ１１７に結合し、共用器は、接続部１１９を介して方向性結合器１２１にも結合する。第１および第２の経路は、方向性結合器１２１に収束し、方向性結合器１２１は、接続部１５４を介してこのフィルタ・ネットワークに結合するレシーバ１５５内の低ノイズ・アンプＬＮＡに出力信号を供給する。
【００２２】
図１において、既知のＲＦ離散時間フィルタは、同調移相器および可変減衰器、またはベクトル変調器を含むＲＦ経路から構成される。しかし、ＲＦ経路の数は、２つまたは３つの経路に限定され、それは、それぞれの追加の経路が、追加のスプリッタ、合成器、同調部品、ゲイン・ブロック、および時間遅延素子を必要とするからである。このため、２つまたは３つの経路を有する既知のフィルタ・システムによって、低次のフィルタリングのみを行うことができる。必要なものは、フィルタ次数が増加するごとに同調移相器および可変減衰器、またはベクトル変調器などの追加の素子を必要とすることなく高次フィルタリングを行う、２経路フィルタおよび信号消去システムである。
【００２３】
図２に、２つの経路を有するフィードフォワード・システムが示され、共用器のアイソレーションを改善する、一方の経路上のデジタル・フィルタを有する。図２の２０５に、デジタル入力信号が示され、デジタル入力信号は、第１および第２の経路上に分割される。第１の経路上で、デジタル信号は、接続部２１０を介してＦＩＲフィルタ２１５に送出され、ＦＩＲフィルタ２１５の出力は、接続部２２０を介して補助トランスミッタ２２５に送出される。補助トランスミッタ２２５の出力は、接続部２３０を介して方向性結合器２６５に送出される。
【００２４】
第２の経路上で、デジタル信号は、接続部２３５を介してトランスミッタ２４０に供給される。トランスミッタのパワーアンプ２４０の出力は、接続部２４５を介して共用器２５５に供給される。共用器２５５は、アンテナ２５０に結合し、共用器は、接続部２６０を介して方向性結合器２６５にも結合する。第１および第２の経路は、方向性結合器２６５に収束し、方向性結合器２６５は、接続部２７０を介して、このフィルタ・ネットワークに結合するレシーバ２７５内の低ノイズ・アンプＬＮＡに出力信号を供給する。
【００２５】
図２に、フィルタ・システムの一方の経路上の、デジタル信号プロセッサ（ＤＳＰ）を有するフィードフォワード構成消去システムが示され、フィードフォワード構成消去システムは、伝送通過帯域においてレシーバ内に漏出する伝送信号を消去するのに使用されてきた。フィードフォワード・システムへの入力は、第１のトランスミッタにも送出されるデジタル・ベースバンド信号であった。この消去システムは、図２に示され、本システムによって、伝送されるＲＦ信号の線形部分のみを消去することができる。伝送されるＲＦ信号の線形部分を消去するだけではない消去システムが必要である。
【００２６】
ＲＦ（もしくはアナログ）部品またはシステムが、離散時間フィルタを含む１つの信号経路を有するフィードフォワード構成の本発明に接続する。この構成は、図３に示される。離散時間フィルタを含む信号経路は、その入力信号を使用して消去信号を合成し、消去信号は、ＲＦ（またはアナログ）部品の出力信号と合成される。ＲＦもしくはアナログの帯域阻止フィルタ（ＢＳＦ）またはノッチ・フィルタが、離散時間フィルタを含む信号経路内にも配置され、離散時間フィルタのダイナミック・レンジ要件を低減させる。合成信号は、監視され、同じ信号経路内の離散時間フィルタおよび他の同調部品を適切に再構成するのに使用される。
【００２７】
図３に、方向性結合器３１０に結合する入力信号ＲＦｉｎ３０５（たとえば４５０ＭＨｚから３５００ＭＨｚの間）を受領するステップを含む、本発明を使用するシステム３００が示される。第１の経路上で、方向性結合器３１０は、接続部３１５を介してＲＦ／アナログ１周波数ダウン・コンバータ３２０に結合する。ＲＦ／アナログ１周波数ダウン・コンバータ３２０は、接続部３２５を介して離散時間フィルタ３３０に結合し、低域変換入力信号が、離散時間フィルタ３３０に入力される。離散時間フィルタ３３０は、接続部３３５を介してＲＦ／アナログ２周波数アップ・コンバータ３４０に結合し、ＲＦ／アナログ２周波数アップ・コンバータ３４０は、接続部３４５を介して帯域阻止フィルタＢＳＦ３５０に結合する。帯域阻止フィルタＢＳＦ３５０は、接続部３５５を介して方向性結合器３６５に結合する。
【００２８】
方向性結合器３１０は、第２の経路上で接続部３５７を介してＲＦまたはアナログ部品３５９に結合する。ＲＦまたはアナログ部品３５９は、接続部３６３を介して方向性結合器３６５に結合する。第１および第２の経路は、方向性結合器３６５に収束し、方向性結合器３６５は、接続部３７０を介して第３の方向性結合器３７３に合成信号を供給する。
【００２９】
第３の方向性結合器は、監視用の合成信号を分配するのに使用される。第３の経路上で、方向性結合器３７３は、接続部３７５を介してＲＦ／アナログ３周波数ダウン・コンバータ３８０に結合する。ＲＦ／アナログ３周波数ダウン・コンバータ３８０は、接続部３８５を介して離散時間フィルタ・コントローラ３８７に結合する。離散時間フィルタ・コントローラ３８７は、接続部３９０を介して接続する離散時間フィルタ３３０の周波数依存消去を制御する。方向性結合器３７３は、ネットワークの後段部分に接続するために出力信号ＲＦｏｕｔ６８０に結合する。
【００３０】
本発明は、一方の経路内に離散時間フィルタを有する、フィードフォワード構成の２つの信号経路を使用する。フィードフォワード構成は、システムの通過帯域信号がＲＦまたはアナログ部品を通過し、結合器からの損失が最小になることを可能にする。一実施形態において、ＲＦ部品は、低損失伝送線であり、主経路は、通過帯域信号が伝送信号であるときは、高出力を扱い、または、通過帯域信号が受領信号であるときは、微弱信号をほとんど破壊しない。
【００３１】
離散時間フィルタを含む経路への入力信号は、方向性結合器によって結合ポートから主経路より分配される。この経路の出力信号は、方向性結合器によって再合成され、主経路の出力になる。第３の方向性結合器は、監視用の合成信号を分配するのに使用される。方向性結合器は、主経路に対する低損失を確実にする。第３の方向性結合器を有する、これらの実施形態は、図３、４、および１０に示される。
【００３２】
図４に、方向性結合器４１０に結合する入力信号ＲＦｉｎ４０５（たとえば４５０ＭＨｚから３５００ＭＨｚの間）を受領するステップを含む、本発明を使用するシステム４００が示される。第１の経路上で、方向性結合器４１０は、接続部４５５を介してＲＦ／アナログ１周波数ダウン・コンバータ４６０に結合する。ＲＦ／アナログ１周波数ダウン・コンバータ４６０は、接続部４６３を介してデジタル・フィルタ４６４に結合し、低域変換入力信号が、デジタル・フィルタ４６４に入力される。デジタル・フィルタ４６４は、接続部４６７を介してＲＦ／アナログ２周波数アップ・コンバータ４７０に結合するデジタル・フィルタであり、ＲＦ／アナログ２周波数アップ・コンバータ４７０は、接続部４８０を介して帯域阻止フィルタＢＳＦ４８５に結合する。帯域阻止フィルタＢＳＦ４８５は、接続部４９０を介して方向性結合器４３０に結合する。
【００３３】
方向性結合器４１０は、第２の経路上で接続部４１５を介して時間遅延素子τｄ４２０に結合する。時間遅延素子τｄ４２０は、接続部４２５を介して方向性結合器４３０に結合する。第１および第２の経路は、方向性結合器４３０に収束し、方向性結合器４３０は、接続部４３５を介して第３の方向性結合器４４０に合成信号を供給する。
【００３４】
第３の方向性結合器は、監視用の合成信号を分配するのに使用される。第３の経路上で、方向性結合器４４０は、接続部４４２を介してＲＦ／アナログ３周波数ダウン・コンバータ４４５に結合する。ＲＦ／アナログ３周波数ダウン・コンバータ４４５は、接続部４４７を介してデジタル・フィルタ・コントローラ４４９に結合する。デジタル・フィルタ・コントローラ４４９は、接続部４５０を介して接続するデジタル・フィルタ４６４の周波数依存消去を制御する。方向性結合器４４０は、ネットワークの後段部分に接続するために出力信号ＲＦｏｕｔ４９５に結合する。
【００３５】
図１０に、部品レベルの識別子を有する、本発明のより詳細な図が示される。図１０に、方向性結合器１０１０に結合する入力信号ＲＦｉｎ１１０５（たとえば４５０ＭＨｚから３５００ＭＨｚの間）を受領するステップを含む、本発明を使用するシステム１０００が示される。第１の経路上で、方向性結合器１０１０は、接続部１０１２を介してＲＦ／アナログ１周波数ダウン・コンバータに結合する。接続部１０１２は、アンプ１０１３に結合し、アンプ１０１３は、接続部１０１４を介してスプリッタ１０１５に結合する。
【００３６】
スプリッタ１０１５は、接続部１０１６および１０１７を介して、ダウン・コンバータ・ミキサ１０２６および１０２８にそれぞれ接続する。ダウン・コンバータ・ミキサ１０２６は、接続部１０３２を介してアナログ低域通過フィルタ１０３４に結合し、ダウン・コンバータ・ミキサ１０２８は、接続部１０３０を介してアナログ低域通過フィルタ１０３６に結合する。アナログ低域通過フィルタ１０３４は、接続部１０４２を介してアナログ・デジタル・コンバータ１０４４に結合し、アナログ低域通過フィルタ１０３６は、接続部１０３８を介してアナログ・デジタル・コンバータ１０４０に結合する。
【００３７】
ＲＦ／アナログ１周波数ダウン・コンバータは、デジタル・フィルタ１０５０に結合し、低域変換入力信号が、デジタル・フィルタ１０５０に入力される。具体的には、アナログ・デジタル・コンバータ１０４４は、接続部１０４６を介してデジタル・フィルタ１０５０に結合し、アナログ・デジタル・コンバータ１０４０は、接続部１０４８を介してデジタル・フィルタ１０５０に結合する。
【００３８】
デジタル・フィルタ１０５０は、ＲＦ／アナログ２周波数アップ・コンバータに結合するデジタル・フィルタである。具体的には、デジタル・フィルタ１０５０は、接続部１０５１および１０５２を介して、デジタル・アナログ・コンバータ１０５６およびデジタル・アナログ・コンバータ１０５９にそれぞれ結合する。デジタル・アナログ・コンバータ１０５６は、接続部１０５８を介してアナログ低域通過フィルタ１０６２に結合し、デジタル・アナログ・コンバータ１０５９は、接続部１０６０を介してアナログ低域通過フィルタ１０６４に結合する。
【００３９】
アナログ低域通過フィルタ１０６２は、接続部１０６６を介してアップ・コンバータ・ミキサ１０６８に結合する。アナログ低域通過フィルタ１０６４は、接続部１０６５を介してアップ・コンバータ・ミキサ１０７０に結合する。アップ・コンバータ・ミキサ１０６８およびアップ・コンバータ・ミキサ１０７０は、それぞれ接続部１０７５および１０７８を介して合成器１０８０に結合する。合成器１０８０は、接続部１０７９を介してアンプ１０８１に結合し、アンプ１０８１は、接続部１０８２を介して帯域阻止フィルタに結合する。
【００４０】
帯域阻止フィルタが、独立同調伝達関数の零点および極を有する離散時間構成で示される。接続部１０８２は、スプリッタ部品１０８５に結合し、スプリッタ部品１０８５は、信号を２つの経路内に分割する。スプリッタ１０８５からの第１の経路上で、信号１１０７は、合成器１１０８に伝送され、合成器１１０８は、線１１０９に沿ってベクトル変調器ＶＭ１  １１１１に信号を供給し、ベクトル変調器ＶＭ１  １１１１は、スプリッタ１１０１に出力信号を供給する。スプリッタ１１０１は、２つの信号を供給し、一方は線１１０２に沿ってベクトル変調器ＶＭ２  １１０３に達する。
【００４１】
ＶＭ２  １１０３は、線１１０４に沿って時間遅延素子τ２１１０５に出力を供給し、時間遅延素子τ２１１０５は、線１１０６に沿って出力信号を供給し、合成器１１０８の他方の入力信号と合成される。スプリッタ１１０１からの他方の経路上で、第２の信号が、線１１００上で合成器１０８９に供給される。スプリッタ１０８５からの第２の経路上で、第２の出力信号１０８６が、時間遅延素子τ１１０８７に供給され、時間遅延素子τ１１０８７は、線１０８８に沿って合成器１０８９に出力信号を供給する。帯域阻止フィルタＴ−ＢＳＦは、接続部１０９０を介して方向性結合器１０３５に結合する。
【００４２】
コンバータ・ミキサは、局所周波数発振器ｆＬＯに結合し、局所周波数発振器ｆＬＯは、局所発振器の周波数を有するベース信号をコンバータに供給する。局所発振器は、本発明の周波数可変能力を制御する。ダウン・コンバータ・ミキサ１０２８およびアップ・コンバータ・ミキサ１０７０は、それぞれ接続部１０２０および１０７３を介してｆＬＯに結合する。９０°移相器１０２２は、接続部１０２１を介してｆＬＯに結合し、９０°移相器１０７２は、接続部１０７１を介してｆＬＯに結合する。９０°移相器１０２２は、接続部１０２４を介してダウン・コンバータ・ミキサ１０２６に結合し、９０°移相器１０７２は、接続部１０７４を介してアップ・コンバータ・ミキサ１０６８に結合する。
【００４３】
方向性結合器１０１０は、第２の経路上で接続部１０１５を介して時間遅延素子τｄ１０２０に結合する。時間遅延素子τｄ１０２０は、接続部１０２５を介して方向性結合器１０３５に結合する。第１および第２の経路は、方向性結合器１０３５に収束し、方向性結合器１０３５は、第３の方向性結合器１１３０に出力信号を供給する。
【００４４】
第３の方向性結合器１１３０は、監視用の合成信号を分配するのに使用される。第３の経路上で、方向性結合器１１３０は、接続部１１３５を介してＲＦ／アナログ３周波数ダウン・コンバータに結合する。接続部１１３５は、アンプ１１４０に結合し、アンプ１１４０は、接続部１１４２を介してスプリッタ１１４５に結合する。スプリッタ１１４５は、接続部１１５０および１１５５を介して、ダウン・コンバータ・ミキサ１１６０および１１６５にそれぞれ結合する。ダウン・コンバータ・ミキサ１１６０は、接続部１１７８を介してアナログ低域通過フィルタ１１８３に結合し、ダウン・コンバータ・ミキサ１１６５は、接続部１１７９を介してアナログ低域通過フィルタ１１８０に結合する。アナログ低域通過フィルタ１１８３は、接続部１１８７を介してアナログ・デジタル・コンバータ１１８９に結合し、アナログ低域通過フィルタ１１８０は、接続部１１８５を介してアナログ・デジタル・コンバータ１１９１に結合する。
【００４５】
ＲＦ／アナログ３周波数ダウン・コンバータ内のコンバータ・ミキサ１１６５および１１６０は、局所周波数発振器ｆＬＯに結合し、局所周波数発振器ｆＬＯは、局所発振器の周波数を有するベース信号をダウン・コンバータに供給する。ダウン・コンバータ・ミキサ１１６５は、接続部１１７１を介してｆＬＯに結合する。９０°移相器１１７５は、接続部１１７２を介してｆＬＯに結合する。９０°移相器１１７５は、接続部１１７３を介してダウン・コンバータ・ミキサ１１６０に結合する。
【００４６】
ＲＦ／アナログ３周波数ダウン・コンバータは、接続部１１９０を介してアナログ・デジタル・コンバータ１１８９から、および接続部１１９５を介してアナログ・デジタル・コンバータ１１９１からアルゴリズム・プロセッサに結合し、デジタル・フィルタ１０５０は、入力および制御信号を供給される。ＲＦ／アナログ３周波数ダウン・コンバータは、デジタル・フィルタ・コントローラに結合し、それらの制御信号を供給する。デジタル・フィルタ・コントローラは、デジタル・フィルタ１０５０の周波数依存消去を制御する。方向性結合器１１３０は、ネットワークの後段部分に接続するために出力信号ＲＦｏｕｔに結合する。
【００４７】
離散時間フィルタは、主信号経路内に存在する不要な信号成分を消去するのに適する消去信号を合成するために必要なフィルタリングを行う。このフィルタは、通過帯域信号ではなく、阻止帯域信号のみに対して作動する必要があり、したがって、離散時間フィルタによってフィルタリングされる信号のダイナミック・レンジは、本発明の入力または出力信号のダイナミック・レンジよりも小さくすることができる。
【００４８】
離散時間フィルタは、低域変換段階およびアンチエイリアス・フィルタリングを先に行い、再構築フィルタリングおよび高域変換段階に続く。ゲイン段階が、低域変換段階の前に使用され、信号経路のノイズ指数を改善する。ゲイン段階は、高域変換段階の後に使用され、消去信号が、主経路内で消去される信号と同じ大きさに確実になるようにする。
【００４９】
ノッチまたは帯域阻止フィルタは、離散時間フィルタのダイナミック・レンジ要件を緩和する。ノッチまたは帯域阻止フィルタは、離散時間フィルタの後に配置されるとき、システムの通過帯域内のノイズを低減するのに使用することができる。この構成は、レシーバにおいて有利である。ノッチ・フィルタは、離散時間フィルタの前に配置されるとき、システムの通過帯域内の大信号を減衰させるのに使用することができる。この構成は、トランスミッタにおいて有利である。両位置において、ノッチ・フィルタは、離散時間フィルタを含む信号経路内の他の成分のダイナミック・レンジ要件を低減させる。
【００５０】
負の群遅延回路が、ＤＳＰフィルタから多少のフィルタリング負荷を取る。ＤＳＰフィルタの最適化は、消去を所望される周波数帯域が、デジタル・フィルタの周波数応答において負の群遅延を有することを示す。負の群遅延回路を使用することによって、デジタル・フィルタは、負の群遅延回路を有しないが、フィルタのタップがより少ないときと同様に実行することができる。逆に、フィルタのタップ数が減少しないとき、負の群遅延拡張フィルタは、コスト関数を最適化する、より大きい自由度を有する。
【００５１】
方向性結合器および低域変換段階は、消去信号が主経路信号と合成された後に配置される。このサブシステムは、出力を監視するのに使用される。この監視信号は、処理され、次に、デジタル・フィルタおよびシステム内のあらゆる同調部品の適応度を制御するのに使用される。
【００５２】
本システムは、高伝送出力を扱うのに、または微弱受領信号を扱うのに使用することができる大ダイナミック・レンジを有する。ノッチまたは帯域阻止フィルタは、大ダイナミック・レンジが通過帯域信号と所望の阻止帯域信号との間に存在するとき、離散時間フィルタのダイナミック・レンジ要件を緩和するのに使用される。本発明の１つまたは複数の実施形態において、ＲＦ部品は、低損失伝送線であり、離散時間フィルタは、デジタル・フィルタである。この実施形態は、図４に示され、より詳細には図５に示される。これらの実施形態において、本発明は、同調多重帯域阻止フィルタまたは多重ノッチ・フィルタとして使用することができる。この実施形態において、本発明は、同調フィルタの分野内にあるが、ＲＦ部品が伝送線と異なるとき、本発明は、同調信号消去システムの分野内にある。
【００５３】
低ノイズ・アンプの入力前に、本発明は、レシーバ通過帯域外のブロッカおよびトランスミッタ・ノイズを減衰するのに使用することができる。これらの実施形態は、図５から９に示される。本発明は、２つより多いポートを有する部品のアイソレーション改善のために使用することができる。本発明は、レシーバおよびトランスミッタ通過帯域において固定共用器を通してレシーバ内に漏出するトランスミッタ・ノイズを消去するのに使用することができる。本発明は、レシーバ内の信号チェーンに沿う部品の線形性緩和に使用することができる。本発明は、いずれかの部品の出力においてシステムの通過帯域外の大信号を消去するのに使用することができる。この消去は、信号のダイナミック・レンジを低減させ、したがって、続く部品に対する線形性要件を緩和する。
【００５４】
図５に、本発明の詳細な図が示され、主要部品が、より具体的に示される。図５に、方向性結合器５１０に結合する入力信号ＲＦｉｎ５０５（たとえば４５０ＭＨｚから３５００ＭＨｚの間）を受領するステップを含む、本発明を使用するシステム５００が示される。第１の経路上で、方向性結合器５１０は、接続部５３０を介してＲＦ／アナログ１周波数ダウン・コンバータ５３５に結合する。接続部５３０は、アンプ５３７に結合し、アンプ５３７は、接続部５３８を介してスプリッタ５４０に結合する。
【００５５】
スプリッタ５４０は、接続部５４１および５６０を介して、ダウン・コンバータ・ミキサ５４３および５６３にそれぞれ接続する。ダウン・コンバータ・ミキサ５４３は、接続部５４５を介してアナログ低域通過フィルタ５５０に結合し、ダウン・コンバータ・ミキサ５６３は、接続部５６５を介してアナログ低域通過フィルタ５７０に結合する。アナログ低域通過フィルタ５５０は、接続部５５１を介してアナログ・デジタル・コンバータ５５３に結合し、アナログ低域通過フィルタ５７０は、接続部５７１を介してアナログ・デジタル・コンバータ５７３に結合する。
【００５６】
ＲＦ／アナログ１周波数ダウン・コンバータ５３５は、デジタル・フィルタ５５８に結合し、低域変換入力信号が、デジタル・フィルタ５５８に入力される。具体的には、アナログ・デジタル・コンバータ５５３は、接続部５５５を介してデジタル・フィルタ５５８に結合し、アナログ・デジタル・コンバータ５７３は、接続部５７５を介してデジタル・フィルタ５５８に結合する。
【００５７】
デジタル・フィルタ５５８は、ＲＦ／アナログ２周波数アップ・コンバータ５０６に結合するデジタル・フィルタである。具体的には、デジタル・フィルタ５５８は、接続部５９１および５９２を介して、デジタル・アナログ・コンバータ５９３およびデジタル・アナログ・コンバータ５９５にそれぞれ結合する。デジタル・アナログ・コンバータ５９３は、接続部５９７を介してアナログ低域通過フィルタ５１１に結合し、デジタル・アナログ・コンバータ５９５は、接続部５９９を介してアナログ低域通過フィルタ５１２に結合する。
【００５８】
アナログ低域通過フィルタ５１１は、接続部５１３を介してアップ・コンバータ・ミキサ５３６に結合する。アナログ低域通過フィルタ５１２は、接続部５１４を介してアップ・コンバータ・ミキサ５３５に結合する。アップ・コンバータ・ミキサ５３６およびアップ・コンバータ・ミキサ５３５は、それぞれ接続部５２１および５２２を介して合成器５２３に結合する。合成器５２３は、接続部５２４を介してアンプ５２６に結合し、アンプ５２６は、接続部５２８を介して帯域阻止フィルタ５２９に結合する。全体として、ＲＦ／アナログ２周波数アップ・コンバータ５０６は、接続部５２８を介して帯域阻止フィルタＴ−ＢＳＦ５２９に結合する。帯域阻止フィルタＴ−ＢＳＦ５２９は、接続部５３１を介して方向性結合器５２７に結合する。
【００５９】
方向性結合器５１０は、第２の経路上で接続部５１５を介して時間遅延素子τｄ５２０に結合する。時間遅延素子τｄ５２０は、接続部５２５を介して方向性結合器５２７に結合する。第１および第２の経路は、方向性結合器５２７に収束し、方向性結合器５２７は、ネットワークの後段部分に出力信号ＲＦｏｕｔを供給する。
【００６０】
コンバータ・ミキサは、局所周波数発振器ωＰ５８７に結合し、局所周波数発振器ωＰ５８７は、局所発振器の周波数を有するベース信号をダウン・コンバータに供給する。局所発振器は、本発明５００の周波数可変能力を制御する。ダウン・コンバータ・ミキサ５６３およびアップ・コンバータ・ミキサ５３５は、それぞれ接続部５８８および５８９を介してωＰに結合する。９０°移相器５８３は、接続部５８８を介してωＰに結合し、９０°移相器５３２は、接続部５８９を介してωＰに結合する。９０°移相器５８３は、接続部５８５を介してダウン・コンバータ・ミキサ５４３に結合し、９０°移相器５３２は、接続部５３３を介してアップ・コンバータ・ミキサ５３６に結合する。
【００６１】
図６に、方向性結合器６１０に結合する入力信号ＲＦｉｎ６０５（たとえば４５０ＭＨｚから３５００ＭＨｚの間）を受領するステップを含む、本発明を使用するシステム６００が示される。第１の経路上で、方向性結合器６１０は、接続部６１５を介してＲＦ／アナログ１周波数ダウン・コンバータ６２０に結合する。ＲＦ／アナログ１周波数ダウン・コンバータ６２０は、接続部６２５を介してデジタル・フィルタ６３０に結合し、低域変換入力信号が、デジタル・フィルタ６３０に入力される。デジタル・フィルタ６３０は、接続部６３５を介してＲＦ／アナログ２周波数アップ・コンバータ６４０に結合する離散時間フィルタであり、ＲＦ／アナログ２周波数アップ・コンバータ６４０は、接続部６４５を介して負の群遅延（ＮＧＦ）素子６４６に結合する。
【００６２】
ＮＧＦシステム６４６は、単極ＲＦ離散時間システムとすることができ、接続部６４５を介して第１のＮＧＦ方向性結合器に供給される第１の入力信号を含み、第１のＮＧＦ方向性結合器は、時間遅延素子を通し第１の信号経路に沿って第２のＮＧＦ方向性結合器に信号を供給する。第２のＮＧＦ方向性結合器は、接続部６４７に沿って帯域阻止フィルタＴ−ＢＳＦ６５０に出力ＮＧＦ信号を供給する。
【００６３】
第２のＮＧＦ方向性結合器は、アンプ、可変移相器、可変ゲイン・アンプ、固定時間遅延部を通して、第２のＮＧＦ方向性結合器からの第２の経路に沿って分割されるフィードバック信号も供給する。次に、ＮＧＦ素子６４６内のこの第２の信号経路は、ＮＧＦ素子６４６上の第１のＮＧＦ方向性結合器に再結合し、ＮＧＦ素子６４６内の第１の信号経路に沿って伝達される信号と合成する。
【００６４】
帯域阻止フィルタＴ−ＢＳＦ６５０は、接続部６５５を介して第２の方向性結合器６７５に結合する。第１の方向性結合器６１０は、第２の経路上で接続部６６０を介して時間遅延素子τｄ６６５に結合する。時間遅延素子τｄ６６５は、接続部６７０を介して第２の方向性結合器６７５に結合し、第１および第２の信号経路は、再合成される。第１および第２の経路は、第２の方向性結合器６７５に収束し、第２の方向性結合器６７５は、ネットワーク上の低ノイズ・アンプＬＮＡに出力信号ＲＦｏｕｔ６８０を供給する。
【００６５】
図７に、線７０７を介して、方向性結合器７１０に結合する入力信号ＲＦｉｎ７０５（たとえば４５０ＭＨｚから３５００ＭＨｚの間）を受領するステップを含む、本発明を使用するシステム７００が示される。第１の経路上で、方向性結合器７１０は、接続部７１１を介してＲＦ／アナログ１周波数ダウン・コンバータ７２２に結合する。ＲＦ／アナログ１周波数ダウン・コンバータ７２２は、接続部７２４を介してデジタル・フィルタ７２６に結合し、低域変換入力信号が、デジタル・フィルタ７２６に入力される。デジタル・フィルタ７２６は、接続部７２８を介してＲＦ／アナログ２周波数アップ・コンバータ７３５に結合する離散時間フィルタであり、ＲＦ／アナログ２周波数アップ・コンバータ７３５は、接続部７３７を介して帯域阻止フィルタＴ−ＢＳＦ７３９に結合する。帯域阻止フィルタＴ−ＢＳＦ７３９は、接続部７４１を介して方向性結合器７２０に結合する。
【００６６】
方向性結合器７１０は、第２の経路上で接続部７１２を介して低ノイズ・アンプ線形ＬＮＡ７１５に結合する。低ノイズ・アンプ線形ＬＮＡ７１５は、接続部７１７を介して方向性結合器７２０に結合する。第１および第２の経路は、方向性結合器７２０に収束し、方向性結合器７２０は、このフィルタ・ネットワークに結合するダウン・コンバータに出力信号ＲＦｏｕｔ７４５を供給する。この実施形態において、干渉消去が、ダウン・コンバータ・ミキサの前に行われる。
【００６７】
図８に、方向性結合器８１０に結合する入力信号ＲＦｉｎ８０５（たとえば４５０ＭＨｚから３５００ＭＨｚの間）を受領するステップを含む、本発明を使用するシステム８００が示される。第１の経路上で、方向性結合器８１０は、接続部８１５を介して帯域阻止フィルタＴ−ＢＳＦ８２０に結合する。帯域阻止フィルタＴ−ＢＳＦ８２０は、接続部８２５を介してＲＦ／アナログ１周波数ダウン・コンバータ８３０に結合する。ＲＦ／アナログ１周波数ダウン・コンバータ８３０は、接続部８３５を介してデジタル・フィルタ８４０に結合し、低域変換入力信号が、デジタル・フィルタ８４０に入力される。デジタル・フィルタ８４０は、接続部８４５を介してＲＦ／アナログ２周波数アップ・コンバータ８５０に結合する離散時間フィルタであり、ＲＦ／アナログ２周波数アップ・コンバータ８５０は、接続部８５５を介して方向性結合器８７５に結合する。
【００６８】
方向性結合器８１０は、第２の経路上で接続部８６０を介して時間遅延素子τｄ８６５に結合する。時間遅延素子τｄ８６５は、接続部８７０を介して方向性結合器８７５に結合する。第１および第２の経路は、方向性結合器８７５に収束し、方向性結合器８７５は、このフィルタ・ネットワークに結合する共用器回路に出力信号ＲＦｏｕｔ８８０を供給する。この実施形態において、ノイズ消去は、トランスミッタが、出力信号に関して多重阻止帯域フィルタリングを行った後に行われ、エミッション・マスクを妨害するのを回避し、レシーバ通過帯域内のトランスミッタ・ノイズを消去する。
【００６９】
図９に、方向性結合器９１０に結合する入力信号ＲＦｉｎ９０５（たとえば４５０ＭＨｚから３５００ＭＨｚの間）を受領するステップを含む、本発明を使用するシステム９００が示される。第１の経路上で、方向性結合器９１０は、接続部９１５を介して帯域阻止フィルタＴ−ＢＳＦ９２０に結合する。帯域阻止フィルタＴ−ＢＳＦ９２０は、接続部９２５を介してＲＦ／アナログ１周波数ダウン・コンバータ９３０に結合する。ＲＦ／アナログ１周波数ダウン・コンバータ９３０は、接続部９３５を介してデジタル・フィルタ９４０に結合し、低域変換入力信号が、デジタル・フィルタ９４０に入力される。デジタル・フィルタ９４０は、接続部９４５を介してＲＦ／アナログ２周波数アップ・コンバータ９５０に結合する離散時間フィルタであり、ＲＦ／アナログ２周波数アップ・コンバータ９５０は、接続部９５５を介して方向性結合器９８０に結合する。
【００７０】
方向性結合器９１０は、第２の経路上で接続部９６０を介して共用器９７０に結合する。共用器９７０は、アンテナ９７１に結合し、共用器は、接続部９７５を介して方向性結合器９８０にも結合する。第１および第２の経路は、方向性結合器９８０に収束し、方向性結合器９８０は、このフィルタ・ネットワークに結合する低ノイズ・アンプＬＮＡに出力信号ＲＦｏｕｔ９８５を供給する。この実施形態において、トランスミッタ・ノイズ消去が行われ、固定共用器回路のアイソレーションを改善する。
【００７１】
本発明は、ワイヤレス通信システム、多重帯域無線アーキテクチャ、スペクトル・リファーミングができるシステム、およびソフトウェア定義無線で使用する、ハイブリッドＲＦデジタル信号処理ベースのＲＦフィルタおよび信号消去システムを提供する。本発明は、固定共用器を拡張するのに使用することができ、この固定共用器は、そのフィルタリング要件を緩和することによって拡張共用器の市場までの製造および生産時間を削減する。１つの拡張共用器は、既知の機械同調フィルタとは異なり、複数の顧客の仕様を満たすであろう。
【００７２】
上述した本出願の実施形態は、例示のみを目的とする。当業者は、本出願の範囲から逸脱することなく、特定の実施形態に変更、修正、および変形を加えることができる。上述の説明において、本発明を理解することができるように、多くの詳細事項が開示された。しかし、本発明は、これらの詳細事項なしに実施することができることを、当業者は理解されよう。本発明は、限定された数の実施形態に関して開示されてきたが、当業者は、それらからの多くの修正形態および変形形態が理解されよう。添付の特許請求の範囲は、本発明の真の趣旨および範囲の範囲内にある修正形態および変形形態を保護することを目的とする。
【図１】
0005620395.tif 000002
【図２】
0005620395.tif 000003
【図３】
0005620395.tif 000004
【図４】
0005620395.tif 000005
【図５】
0005620395.tif 000006
【図６】
0005620395.tif 000007
【図７】
0005620395.tif 000008
【図８】
0005620395.tif 000009
【図９】
0005620395.tif 000010
【図１０】
0005620395.tif 000011